(57)【要約】【課題】地上波デジタルテレビジョン放送における視聴可能な放送局の判定精度が高いデジタル放送受信機を提供する。【解決手段】地上波デジタルテレビジョン放送を受信可能なデジタル放送受信機であって、デジタル放送受信機は、地上波デジタルテレビジョン放送に割り当てられた周波数帯域のデジタル信号を受信するデジタル放送受信部１２ａと、前記デジタル放送受信部１２ａが受信したデジタル信号のうち、地上波デジタルテレビジョン放送において１つの放送局に割り当てられた周波数帯域の一部の帯域におけるデジタル信号を用いて、当該一部の帯域よりも広い帯域において当該１つの放送局の放送が視聴可能であるか否かを判定する受信制御部（放送局判定部１３ａ）とを備える。【選択図】図１
2010114499.tif 000002
【特許請求の範囲】
【請求項１】
地上波デジタルテレビジョン放送を受信可能なデジタル放送受信機において、
地上波デジタルテレビジョン放送に割り当てられた周波数帯域のデジタル信号を受信するデジタル放送受信部と、
前記デジタル放送受信部が受信したデジタル信号のうち、地上波デジタルテレビジョン放送において１つの放送局に割り当てられた周波数帯域の一部の帯域におけるデジタル信号を用いて、当該一部の帯域よりも広い帯域における当該１つの放送局の放送が視聴可能であるか否かを判定する放送局判定部と、
を備えることを特徴とするデジタル放送受信機。
【請求項２】
前記放送局判定部は、１つの放送局に割り当てられた周波数帯域を１３のセグメントに分けたうちの１つのセグメントのデジタル信号を用いて、当該２以上のセグメントにおいて当該１つの放送局の放送が視聴可能であるか否かを判定することを特徴とする請求項１に記載のデジタル放送受信機。
【請求項３】
前記放送局判定部は、
１つの放送局に割り当てられた周波数帯域の一部の帯域におけるデジタル信号の搬送波／雑音比を測定するＣＮ比測定部と、
前記ＣＮ比測定部が測定した搬送波／雑音比と所定の閾値とを比較することにより、当該１つの放送局の放送が視聴可能であるか否かを判定する第１の比較判定部と、
を備えることを特徴とする請求項２に記載のデジタル放送受信機。
【請求項４】
前記放送局判定部は、
１つの放送局に割り当てられた周波数帯域の一部の帯域におけるデジタル信号の端子電圧を測定する端電測定部と、
前記端電測定部が測定した端子電圧と所定の閾値とを比較することにより、当該１つの放送局の放送が視聴可能であるか否かを判定する第２の比較判定部と、
を備えることを特徴とする請求項２に記載のデジタル放送受信機。
【請求項５】
前記１つの放送局に割り当てられた周波数帯域の一部の帯域を設定する帯域設定部を更に備え、
前記放送局判定部は、前記帯域設定部により設定された帯域におけるデジタル信号を用いて、当該帯域よりも広い帯域における前記１つの放送局の放送が視聴可能であるか否かを判定する
ことを特徴とする請求項１に記載のデジタル放送受信機。
【請求項６】
地上波デジタルテレビジョン放送を受信可能なデジタル放送受信機において、
地上波デジタルテレビジョン放送に割り当てられた周波数帯域のデジタル信号及び地上アナログカラーテレビ放送に割り当てられた周波数帯域のアナログ信号を受信するテレビ放送受信部と、
前記テレビ放送受信部が受信したアナログ信号のうち、地上アナログカラーテレビ放送において１つの放送局に割り当てられた周波数帯域のアナログ信号を用いて、前記地上アナログカラーテレビ放送に対応する地上波デジタルテレビジョン放送における１つの放送局の放送が視聴可能であるか否かを判定する第２の放送局判定部と、
を備えることを特徴とするデジタル放送受信機。
【発明の詳細な説明】
【技術分野】
【０００１】
本発明は、地上波デジタルテレビジョン放送を受信可能なデジタル放送受信機に関する。
【背景技術】
【０００２】
昨今、日本国内のみならず世界において地上波デジタルテレビジョン放送の普及が急がれている。地上波デジタルテレビジョン放送を受信可能なデジタル放送受信機は、地域ごとに受信可能な放送局が異なる。
【０００３】
受信場所が変らない状態においてデジタル放送受信機が地上波デジタルテレビジョン放送を受信する場合、その受信地域を容易に特定でき、受信機が移動することが稀であるため、受信可能な放送局を一度設定すれば、その後の選局に不自由を来すことは考えにくい。これに対して、例えば、車載機器などの移動体端末にて移動しながら地上波デジタルテレビジョン放送を受信する場合、日常的に複数の地域間を受信機が移動することが考えられ、それぞれの地域において視聴可能な放送局をサーチする必要がある。
【０００４】
従来から、移動時におけるスムースな自動選局を可能にする技術が提案されている（例えば、特許文献１及び２参照）。
【特許文献１】特開２００５−４５５９２号公報
【特許文献２】特開２００５−２７２２１号公報
【発明の開示】
【発明が解決しようとする課題】
【０００５】
しかしながら、従来の地上波デジタルテレビジョン放送における自動選局（オートシークプリセット）方法においては、一度、受信したデジタル信号をアナログ信号へ復調してから視聴可能な放送局を判定していたため処理時間が長期化してしまう。
【０００６】
また、この問題を回避するため、復調する前のデジタル信号（１２セグメント）の搬送波／雑音比（carrier-noise ratio）や端子電圧に基づいて視聴可能な放送局を判定する
と、１２セグメントの周波数帯域では正確な放送局判定が困難になってしまう。
【０００７】
本発明は、このような従来の課題に鑑みてなされたものであり、その目的は、地上波デジタルテレビジョン放送における視聴可能な放送局の判定精度が高いデジタル放送受信機を提供することである。
【課題を解決するための手段】
【０００８】
本発明の第１の特徴は、地上波デジタルテレビジョン放送を受信可能なデジタル放送受信機であって、デジタル放送受信機が、地上波デジタルテレビジョン放送に割り当てられた周波数帯域のデジタル信号を受信するデジタル放送受信部と、前記デジタル放送受信部が受信したデジタル信号のうち、地上波デジタルテレビジョン放送において１つの放送局に割り当てられた周波数帯域の一部の帯域におけるデジタル信号を用いて、当該一部の帯域よりも広い帯域における当該１つの放送局の放送が視聴可能であるか否かを判定する放送局判定部とを備えることである。
【０００９】
本発明の第１の特徴によれば、地上波デジタルテレビジョン放送において１つの放送局に割り当てられた周波数帯域の一部の帯域におけるデジタル信号を用いて、当該一部の帯域よりも広い帯域における当該１つの放送局の放送が視聴可能であるか否かを判定するこ
とにより、１つの放送局に割り当てられた周波数帯域全体におけるデジタル信号を用いて同様な判定を行う場合に比べて、判定の精度が向上する。
【００１０】
本発明の第２の特徴は、地上波デジタルテレビジョン放送を受信可能なデジタル放送受信機であって、デジタル放送受信機が、地上アナログカラーテレビ放送に割り当てられた周波数帯域のアナログ信号を受信するアナログ放送受信部と、前記アナログ放送受信部が受信したアナログ信号のうち、地上アナログカラーテレビ放送において１つの放送局に割り当てられた周波数帯域のアナログ信号を用いて、当該地上アナログカラーテレビ放送に対応する地上波デジタルテレビジョン放送における１つの放送局の放送が視聴可能であるか否かを判定する第２の放送局判定部とを備えることである。
【００１１】
本発明の第２の特徴によれば、地上アナログカラーテレビ放送において１つの放送局に割り当てられた周波数帯域のアナログ信号を用いて、当該地上アナログカラーテレビ放送に対応する地上波デジタルテレビジョン放送が視聴可能であるか否かを判定することにより、判定の精度が向上し、且つ地上波デジタルテレビジョン放送におけるデジタル信号を用いた場合に比べて、自動選局に要する時間を更に短縮することができる。
【発明の効果】
【００１２】
以上説明したように、本発明のデジタル放送受信機によれば、地上波デジタルテレビジョン放送における視聴可能な放送局の判定精度が高くなる。
【発明を実施するための最良の形態】
【００１３】
以下図面を参照して、本発明の実施の形態を説明する。図面の記載において同一部分には同一符号を付している。
（第１の実施の形態）
図１を参照して、本発明の第１の実施の形態に係わるデジタル放送受信機の構成を説明する。本発明の第１の実施の形態に係わるデジタル放送受信機は、地上波デジタルテレビジョン放送を受信可能なデジタル放送受信機であって、地上波デジタルテレビジョン放送に割り当てられた帯域の電波を受信するアンテナ１１と、アンテナ１１が受信した電波から地上波デジタルテレビジョン放送に割り当てられた周波数帯域のデジタル信号を受信するデジタル放送受信部１２ａと、デジタル放送受信部１２ａが受信したデジタル信号のうち、地上波デジタルテレビジョン放送において１つの放送局に割り当てられた周波数帯域の一部の帯域におけるデジタル信号を用いて、当該一部の帯域よりも広い帯域における当該１つの放送局の放送が視聴可能であるか否かを判定する放送局判定部としての機能を備える受信制御部１３ａと、デジタル放送受信部１２ａが受信したデジタル信号をアナログ信号へ復調するデコード部１４と、デコード部１４により復調されたアナログ信号に含まれる映像信号に基づいて映像を表示する表示部１５と、デコード部１４により復調されたアナログ信号に含まれる音声信号に基づいて音声を出力するスピーカ１６と、視聴可能であると受信制御部１３により判定された放送局の固有情報を記憶するプリセット記憶部１７と、ユーザからの操作を受け付ける操作部１８とを備える。
【００１４】
アンテナ１１は、ＵＨＦ帯の電波を受信することができる八木・宇田アンテナを使用すればよい。デジタル放送受信部１２ａは、アンテナ１１が受信した電波から受信可能な放送局を選択するチューナーとしての機能を備える。選択可能な各放送局に割り当てられた周波数帯域は複数（例えば１３）のセグメントに分割され、そのうちハイビジョン放送（ＨＤＴＶ）には１２セグメントが割り当てられ、標準画質放送には４セグメントが割り当てられる。そして、例えば車載機器、ＰＤＡ、携帯電話などの移動体端末は画面を小さく、性能を低くして携帯性や移動性を重視して１セグメントを割り当てて低解像度の放送を行っている。この１セグメントを略して「ワンセグ」と呼ばれている。
【００１５】
受信制御部１３ａは、例えばマイコンなどにより構成され、デジタル放送受信部１２ａにより選択された１つの放送局に割り当てられた周波数帯域（１３セグメント）のうちの１セグメントにおけるデジタル信号を用いて、１セグメントよりも広い帯域である１２セグメント又は４セグメントに割り当てられた当該１つの放送局のハイビジョン放送又は標準画質放送が視聴可能であるか否かを判定する。具体的には、図２(ａ)を参照して後述する。
【００１６】
受信制御部１３ａは、デコード部１４の復調動作を制御する。具体的には、ハイビジョン放送又は標準画質放送が視聴可能であると受信制御部１３により判定されたチャンネルに割り当てられた周波数帯域（１２セグメント又は４セグメント）のデジタル信号を選択的に復調する。
【００１７】
デコード部１４により選択的に復調されたアナログ信号には、選択された放送局の固有情報を示す信号や映像信号及び音声信号が含まれている。固有情報を示す信号は受信制御部１３に送信され、受信制御部１３は、プリセット記憶部１７に当該放送局の固有情報及び受信可能な放送局のプリセット情報を格納する。映像信号は表示部１５へ送信され、表示部１５は、受信した映像信号に基づいて映像を表示する。そして、音声信号はスピーカ１６へ送信され、スピーカ１６は、受信した音声信号に基づいて音声を出力する。
【００１８】
操作部１８は、例えば、プリセットボタンを備え、プリセットボタンをユーザが押下げることにより、ユーザからの自動選局（オートシークプリセット）を開始するコマンド操作を受け付ける。
【００１９】
図２（ａ）を参照して、受信制御部１３ａの詳細な構成を説明する。受信制御部１３ａは、１つの放送局に割り当てられた周波数帯域の一部の帯域におけるデジタル信号の搬送波／雑音比（carrier-noise ratio：以後、「ＣＮ比」という）を測定するＣＮ比測定部
３１と、ＣＮ比測定部３１が測定したＣＮ比と所定の閾値とを比較することにより、当該１つの放送局の放送が視聴可能であるか否かを判定する第１の比較判定部３２とを備える。
【００２０】
具体的に、ＣＮ比測定部３１は、図８に示すように、地上波デジタルテレビジョン放送において各放送局１〜３に割り当てられた周波数帯域（１２セグメント）ＷＤ１〜ＷＤ３のうちの一部の帯域（１セグメント）ＳＤ１〜ＳＤ３におけるデジタル信号のＣＮ比を測定する。例えば、１セグメントの帯域幅は４００ｋＨｚであり、１２セグメントの帯域幅は５．５ＭＨｚである。第１の比較判定部３２は、ＣＮ比測定部３１が測定したＣＮ比と１セグ閾値とを比較し、ＣＮ比が１セグ閾値以上であれば、当該放送局に割り当てられた周波数帯域ＷＤ１〜ＷＤ３の放送は受信可能であると判断する。なお、所定の閾値は図８の１セグ閾値に限らず、例えば１２セグ閾値であってもよい。
【００２１】
図３を参照して、図１のデジタル放送受信機による自動選局手順の一例を説明する。
【００２２】
（イ）先ず、Ｓ０１段階において、操作部１８はプリセットボタンが押下げられることにより自動選局（オートシークプリセット）を開始するコマンド操作を受け付ける。Ｓ０３段階に進み、デジタル放送受信部１２ａは、アンテナ１１が受信した電波から１つの放送局のワンセグ放送についてのデジタル信号を選択的に受信する。
【００２３】
（ロ）Ｓ０５段階に進み、ＣＮ比測定部３１は、この放送局に割り当てられた周波数帯域（１２セグメント）のデジタル信号のうち一部の帯域（１セグメント）におけるデジタル信号のＣＮ比を測定する。Ｓ０７段階に進み、第１の比較判定部３２は、ＣＮ比測定部３１が測定したＣＮ比と１セグ閾値とを比較し、ＣＮ比が１セグ閾値以上であれば（Ｓ０
７でＹＥＳ）、Ｓ０９段階に進み、第１の比較判定部３２は、当該放送局に割り当てられた周波数帯域ＷＤ１〜ＷＤ３のハイビジョン放送又は標準画質放送が視聴可能であると判断し、受信制御部１３ａは、プリセット記憶部１７に当該放送局を仮プリセットする。その後、Ｓ１１段階に進む。図８の例において、第１の比較判定部３２は、周波数帯域ＷＤ１及びＷＤ３のハイビジョン放送（１２セグメント）が視聴可能であると判断するが、周波数帯域ＷＤ２のハイビジョン放送（１２セグメント）は視聴不可能であると判断する。
【００２４】
（ハ）一方、ＣＮ比が１セグ閾値未満であれば（Ｓ０７でＮＯ）、Ｓ１１段階に直接進む。Ｓ１１段階において、総ての放送局１〜３についてＣＮ比による判定を行ったか否かを判断する。総ての放送局について完了していなければ（Ｓ１１でＮＯ）Ｓ１３段階に進み、判定を行っていない放送局を選択してＳ０３段階に戻り、総ての放送局についてＳ０３〜Ｓ１３段階を繰返し実施する。
【００２５】
（ニ）総ての放送局についてＣＮ比による判定を行った後（Ｓ１１でＹＥＳ）、Ｓ１５段階に進み、受信制御部１３ａは、Ｓ０９段階で仮プリセットされた放送局の情報をプリセット記憶部１７から読み出す。Ｓ１７段階に進み、デジタル放送受信部１２ａは、読み出された放送局のみについて、アンテナ１１が受信した電波からハイビジョン放送（１２セグメント）又は標準画質放送（４セグメント）のデジタル信号を選択的に受信する。
【００２６】
（ホ）Ｓ１９段階に進み、デコード部１４はデジタル放送受信部１２ａが受信したデジタル信号を復調し、受信制御部１３ａは、復調した放送局をプリセット記憶部１７へプリセットして、図３に示すフローチャートは終了する。
【００２７】
以上説明したように本発明の第１の実施の形態によれば、以下の作用効果が得られる。
【００２８】
地上波デジタルテレビジョン放送において１つの放送局に割り当てられた周波数帯域ＷＤの一部の帯域ＳＤにおけるデジタル信号を用いて、当該一部の帯域よりも広い帯域において当該１つの放送局の放送が視聴可能であるか否かを判定することにより、１つの放送局に割り当てられた周波数帯域全体におけるデジタル信号を用いて同様な判定を行う場合に比べて判定の精度が向上する。
【００２９】
デコード部１４は、ハイビジョン放送又は標準画質放送が視聴可能であると受信制御部１３により判定されたチャンネルに割り当てられた周波数帯域（１２セグメント又は４セグメント）のデジタル信号を選択的に復調する。従来、受信したデジタル信号をデコードしてから視聴可能な放送局を判定していたため処理時間が長期化していたが、視聴可能な放送局を判定してからデジタル信号を選択的に復調しているので、自動選局に要する時間を短縮することができる。
【００３０】
また、図８に示すように、１２セグメントのデジタル信号のＣＮ比を用いて視聴可能であるか否かを判定する場合はデジタル信号の帯域（１２セグメント）が広いため、データ欠けが生じ、正確な判定ができない。これに対して、１セグメントのデジタル信号のＣＮ比を用いて視聴可能であるか否かを判定する場合はデジタル信号の帯域（１セグメント）が狭いため判定の精度が高くなる。そこで、受信制御部１３ａは、１つの放送局に割り当てられた周波数帯域を１３のセグメントに分けたうちの１つのセグメントのデジタル信号を用いて、１２セグメントにおける当該１つの放送局の放送が視聴可能であるか否かを判定することにより、自動選局の精度が向上する。
【００３１】
デジタル信号のＣＮ比に基づいて選局を行うことにより、速度改善幅が少なくなる。
（第１の変形例）
図２（ａ）に示した受信制御部１３ａの構成を変更した第１の実施の形態に係わるデジ
タル放送受信機の第１の変形例について説明する。図２（ｂ）に示すように、第１の変形例における受信制御部１３ｂは、１つの放送局に割り当てられた周波数帯域の一部の帯域におけるデジタル信号の端子電圧を測定する端電測定部３５と、端電測定部３５が測定した端子電圧と所定の閾値とを比較することにより、当該１つの放送局の放送が視聴可能であるか否かを判定する第２の比較判定部３６とを備える。
【００３２】
具体的に、端電測定部３５は、図８に示したＣＮ比と同様にして、地上波デジタルテレビジョン放送において各放送局１〜３に割り当てられた周波数帯域（１２セグメント）ＷＤ１〜ＷＤ３のうちの一部の帯域（１セグメント）ＳＤ１〜ＳＤ３におけるデジタル信号の端子電圧を測定する。第２の比較判定部３６は、端電測定部３５が測定した端子電圧と１セグ閾値とを比較し、端子電圧が１セグ閾値以上であれば、当該放送局に割り当てられた周波数帯域ＷＤ１〜ＷＤ３のハイビジョン放送又は標準画質放送は受信可能であると判断する。なお、所定の閾値は１セグ閾値に限らず、例えば１２セグ閾値であってもよい。
【００３３】
図４を参照して、第１の変形例に係わるデジタル放送受信機による自動選局手順の一例を説明する。
【００３４】
（イ）先ず、Ｓ２１段階において、操作部１８はプリセットボタンが押下げられることにより自動選局（オートシークプリセット）を開始するコマンド操作を受け付ける。Ｓ２３段階に進み、デジタル放送受信部１２ａは、アンテナ１１が受信した電波から１つの放送局のワンセグ放送についてのデジタル信号を選択的に受信する。
【００３５】
（ロ）Ｓ２５段階に進み、端電測定部３５は、この放送局に割り当てられた周波数帯域（１２セグメント）のデジタル信号のうち一部の帯域（１セグメント）におけるデジタル信号の端子電圧を測定する。Ｓ２７段階に進み、第２の比較判定部３６は、端電測定部３５が測定した端子電圧と１セグ閾値とを比較し、端子電圧が１セグ閾値以上であれば（Ｓ２７でＹＥＳ）、Ｓ２９段階に進み、第２の比較判定部３６は、当該放送局に割り当てられた周波数帯域ＷＤ１〜ＷＤ３のハイビジョン放送又は標準画質放送が視聴可能であると判断し、受信制御部１３ｂは、プリセット記憶部１７に当該放送局を仮プリセットする。その後、Ｓ３１段階に進む。
【００３６】
（ハ）一方、端子電圧が１セグ閾値未満であれば（Ｓ２７でＮＯ）、Ｓ３１段階に直接進む。Ｓ３１段階において、総ての放送局１〜３について端子電圧による判定を行ったか否かを判断する。総ての放送局について完了していなければ（Ｓ３１でＮＯ）Ｓ３３段階に進み、判定を行っていない放送局を選択してＳ２３段階に戻り、総ての放送局についてＳ２３〜Ｓ３３段階を繰返し実施する。
【００３７】
（ニ）総ての放送局について端子電圧による判定を行った後（Ｓ３１でＹＥＳ）、Ｓ３５段階に進み、受信制御部１３ｂは、Ｓ２９段階で仮プリセットされた放送局の情報をプリセット記憶部１７から読み出す。Ｓ３７段階に進み、デジタル放送受信部１２ａは、読み出された放送局のみについて、アンテナ１１が受信した電波からハイビジョン放送（１２セグメント）又は標準画質放送（４セグメント）のデジタル信号を選択的に受信する。
【００３８】
（ホ）Ｓ３９段階に進み、デコード部１４はデジタル放送受信部１２ａが受信したデジタル信号を復調し、受信制御部１３ｂは、復調した放送局をプリセット記憶部１７へプリセットして、図４に示すフローチャートは終了する。
【００３９】
以上説明したように、第１の変形例によれば、デジタル信号の端子電圧に基づいて選局を行うことにより、ＣＮ比の場合に比べて自動選局に要する時間を短縮することができる。
（第２の変形例）
第１の実施の形態及び第１の変形例では、自動選局に用いる一部の帯域が１セグメントである場合について説明したが、受信制御部１３ａ及び１３ｂが自動選局に用いる一部の帯域をユーザが任意に設定できるようにしても構わない。
【００４０】
第２の変形例に係わるデジタル放送受信機は、図１に示す構成に加えて、１つの放送局に割り当てられた周波数帯域の一部の帯域を任意に設定する帯域設定部を更に備える。受信制御部１３ａは、帯域設定部により設定された帯域におけるデジタル信号を用いて、当該帯域よりも広い帯域（１２セグメント又は４セグメント）において当該１つの放送局の放送が視聴可能であるか否かを判定する。
【００４１】
図５は、第２の変形例に係わるデジタル放送受信機による自動選局手順の一例を示すフローチャートであり、デジタル信号の端子電圧を用いて自動選局を行う手順を示している。図４のフローチャートと対比して、Ｓ４３段階とＳ４５段階の間に、自動選局に用いる一部の帯域を任意に設定する処理（Ｓ４４段階）が追加されている点が異なるが、その他の手順は総て同じである。つまり、Ｓ４１、Ｓ４３、Ｓ４５〜Ｓ５９では、図４のＳ２１〜Ｓ３９と同じ処理を実施する。
【００４２】
以上説明したように、第２の変形例によれば、自動選局に用いる一部の帯域を任意に設定することにより、自動選局の自由度が向上する。帯域を１セグメントよりも狭く設定した場合、１セグメントの場合に比べて自動選局に要する時間を短縮することができる。
（第２の実施の形態）
図６を参照して、本発明の第２の実施の形態に係わるデジタル放送受信機の構成を説明する。本発明の第２の実施の形態に係わるデジタル放送受信機は、地上波デジタルテレビジョン放送を受信可能なデジタル放送受信機であって、地上波デジタルテレビジョン放送に割り当てられた帯域の電波を受信するアンテナ１１と、アンテナ１１が受信した電波から地上波デジタルテレビジョン放送に割り当てられた周波数帯域のデジタル信号及び地上アナログカラーテレビ放送に割り当てられた周波数帯域のアナログ信号を受信するテレビ放送受信部１２と、テレビ放送受信部１２が受信したアナログ信号のうち、地上アナログカラーテレビ放送において１つの放送局に割り当てられた周波数帯域のアナログ信号を用いて、当該１つの放送局に対応する地上波デジタルテレビジョン放送における１つの放送局の放送が視聴可能であるか否かを判定する第２の放送局判定部としての機能を備える受信制御部１３ｂと、テレビ放送受信部１２が受信したデジタル信号をアナログ信号へ復調するデコード部１４と、デコード部１４により復調されたアナログ信号に含まれる映像信号に基づいて映像を表示する表示部１５と、デコード部１４により復調されたアナログ信号に含まれる音声信号に基づいて音声を出力するスピーカ１６と、視聴可能であると受信制御部１３により判定された放送局の固有情報を記憶するプリセット記憶部１７と、ユーザからの操作を受け付ける操作部１８とを備える。
【００４３】
テレビ放送受信部１２は、アンテナ１１が受信した電波から地上波デジタルテレビジョン放送に割り当てられた周波数帯域のデジタル信号を受信するデジタル放送受信部１２ａと、アンテナ１１が受信した電波から地上アナログカラーテレビ放送に割り当てられた周波数帯域のアナログ信号を受信するアナログ放送受信部１２ｂとを備える。
【００４４】
受信制御部１３ｂは、１つの放送局に割り当てられた周波数帯域のアナログ信号の端子電圧を測定し、測定した端子電圧と所定の閾値とを比較することにより、当該１つの放送局に対応する地上波デジタルテレビジョン放送における１つの放送局の放送が視聴可能であるか否かを判定する。
【００４５】
図７を参照して、第２の実施の形態に係わるデジタル放送受信機による自動選局手順の
一例を説明する。
【００４６】
（イ）先ず、Ｓ６１段階において、操作部１８はプリセットボタンが押下げられることにより自動選局（オートシークプリセット）を開始するコマンド操作を受け付ける。Ｓ６３段階に進み、アナログ放送受信部１２ｂは、アンテナ１１が受信した電波から１つの放送局の地上アナログカラーテレビ放送に割り当てられた周波数帯域のアナログ信号を選択的に受信する。
【００４７】
（ロ）Ｓ６５段階に進み、端電測定部３５は、この放送局に割り当てられた周波数帯域のアナログ信号の端子電圧を測定する。Ｓ６７段階に進み、第２の比較判定部３６は、端電測定部３５が測定した端子電圧と所定の閾値とを比較し、端子電圧が所定の閾値以上であれば（Ｓ６７でＹＥＳ）、Ｓ６９段階に進み、第２の比較判定部３６は、地上波デジタルテレビジョン放送における当該放送局によるハイビジョン放送又は標準画質放送が視聴可能であると判断し、受信制御部１３ｂは、プリセット記憶部１７に当該放送局を仮プリセットする。その後、Ｓ７１段階に進む。
【００４８】
（ハ）一方、端子電圧が所定の閾値未満であれば（Ｓ６７でＮＯ）、Ｓ７１段階に直接進む。Ｓ７１段階において、総ての放送局について端子電圧による判定を行ったか否かを判断する。総ての放送局について完了していなければ（Ｓ７１でＮＯ）Ｓ７３段階に進み、判定を行っていない放送局を選択してＳ６３段階に戻り、総ての放送局についてＳ６３〜Ｓ７３段階を繰返し実施する。
【００４９】
（ニ）総ての放送局について端子電圧による判定を行った後（Ｓ７１でＹＥＳ）、Ｓ７５段階に進み、受信制御部１３ｂは、Ｓ６９段階で仮プリセットされた放送局の情報をプリセット記憶部１７から読み出す。Ｓ７７段階に進み、デジタル放送受信部１２ａは、読み出された放送局のみについて、アンテナ１１が受信した電波からハイビジョン放送（１２セグメント）又は標準画質放送（４セグメント）のデジタル信号を選択的に受信する。
【００５０】
（ホ）Ｓ７９段階に進み、デコード部１４はデジタル放送受信部１２ａが受信したデジタル信号を復調し、受信制御部１３ｂは、復調した放送局をプリセット記憶部１７へプリセットして、図７に示すフローチャートは終了する。
【００５１】
以上説明したように、第２の実施の形態によれば、地上アナログカラーテレビ放送用のアナログ信号を受信し、アナログ信号の端子電圧を用いて、当該１つの放送局に対応する地上波デジタルテレビジョン放送が視聴可能であるか否かを判定するので、１セグメントのデジタル信号の端子電圧を用いた第１の変形例に比べて、自動選局に要する時間を短縮することができる。
（その他の実施の形態）
上記のように、本発明は、２つの実施形態及びその変形例によって記載したが、この開示の一部をなす論述及び図面はこの発明を限定するものであると理解すべきではない。この開示から当業者には様々な代替実施の形態、実施例及び運用技術が明らかとなろう。
【００５２】
例えば、自動選局はユーザによるプリセットボタンの押下げ操作によって開始される場合について説明したが、所定の時間経過、或いはプリセットされた放送局のＣＮ比や端子電圧が所定の閾値を下回っている場合などにおいて、これを検知する手段を備えて、自動的に開始されるようにしてもよい。
【００５３】
第２の実施の形態では、アナログ信号の端子電圧を用いた場合について説明したが、アナログ信号のＣＮ比を用いても構わない。すなわち、図６の受信制御部１３ｂの代わりに図２（ａ）の受信制御部１３ａを用いてもよい。
【００５４】
このように、本発明はここでは記載していない様々な実施の形態等を包含するということを理解すべきである。したがって、本発明はこの開示から妥当な特許請求の範囲に係る発明特定事項によってのみ限定されるものである。
【図面の簡単な説明】
【００５５】
【図１】本発明の第１の実施の形態に係わるデジタル放送受信機の構成を示すブロック図である。
【図２】図２（ａ）は受信制御部１３ａの詳細な構成を示すブロック図であり、図２（ｂ）は受信制御部１３ｂの詳細な構成を示すブロック図である。
【図３】図１のデジタル放送受信機による自動選局手順の一例を示すフローチャートである。
【図４】第１の変形例に係わるデジタル放送受信機による自動選局手順の一例を示すフローチャートである。
【図５】第２の変形例に係わるデジタル放送受信機による自動選局手順の一例を示すフローチャートである。
【図６】本発明の第２の実施の形態に係わるデジタル放送受信機の構成を示すブロック図である。
【図７】第２の実施の形態に係わるデジタル放送受信機による自動選局手順の一例を示すフローチャートである。
【図８】１セグメント（狭帯域）と１２セグメント（広帯域）との帯域幅の違いを示すグラフである。
【符号の説明】
【００５６】
１１…アンテナ
１２…テレビ放送受信部
１２ａ…デジタル放送受信部
１２ｂ…アナログ放送受信部
１３ａ，１３ｂ…受信制御部
１４…デコード部
１５…表示部
１６…スピーカ
１７…プリセット記憶部
１８…操作部
３１…ＣＮ比測定部
３２…第１の比較判定部
３５…端電測定部
３６…第２の比較判定部
【図１】
2010114499.tif 000003
【図２】
2010114499.tif 000004
【図３】
2010114499.tif 000005
【図４】
2010114499.tif 000006
【図５】
2010114499.tif 000007
【図６】
2010114499.tif 000008
【図７】
2010114499.tif 000009
【図８】
2010114499.tif 000010